(57)【要約】【課題】  非適合光源の装着を防ぐ照明器具、及び照明器具の制御方法を提供する。【解決手段】  一実施形態に係る照明器具は、点灯回路と、非常用照明部と、防止部と、を具備する。点灯回路は、商用電源から供給された電力により出力端子に接続される常用光源を点灯させる。非常用照明部は、商用電源から供給された電力を蓄電する二次電池と、商用電源からの電力の遮断時に二次電池の電力により点灯する非常用光源と、を有する。防止部は、出力端子に対して非常用照明部との組合せに適合しない非適合光源が接続されることを防止する。【選択図】      図３
2017045617.tif 000002
【特許請求の範囲】
【請求項１】
商用電源から供給された電力により出力端子に接続される常用光源を点灯させる点灯回路と；
前記商用電源から供給された電力を蓄電する二次電池と、前記商用電源からの電力の遮断時に前記二次電池の電力により点灯する非常用光源と、を有する非常用照明部と；
前記出力端子に対して前記非常用照明部との組合せに適合しない非適合光源が接続されることを防止する防止部と；
を具備することを特徴とする照明器具。
【請求項２】
前記非常用照明部は、前記点灯回路を制御して前記常用光源の点灯を制御する制御部をさらに有し、
前記防止部は、前記制御部に設けられているものであって、且つ、前記出力端子に接続された常用光源が非適合光源であるか否か判定する判定部を有することを特徴とする請求項１に記載の照明器具。
【請求項３】
前記制御部は、前記判定部の判定により非適合光源であると判定された場合、前記非適合光源又は前記非常用光源の点灯を制御して外部に報知することを特徴とする請求項１または２に記載の照明器具。
【請求項４】
前記防止部は、前記出力端子が前記非常用照明部に適合しない非適合光源の端子と対応しない形状であり、且つ前記非常用照明部に適合する常用光源の端子と対応した形状で構成されていることを特徴とする請求項１に記載の照明器具。
【請求項５】
商用電源から供給された電力により出力端子に接続される常用光源を点灯させる点灯回路と；前記商用電源から供給された電力を蓄電する二次電池と、前記商用電源からの電力の遮断時に前記二次電池の電力により点灯する非常用光源と、を有する非常用照明部と；を具備する照明器具の制御方法であって、
前記非常用照明部は、
前記出力端子に接続された常用光源が前記非常用照明部との組合せに適合しない非適合光源であるか否か判定する、
照明器具の制御方法。
【発明の詳細な説明】
【技術分野】
【０００１】
本発明の実施形態は、照明器具、及び照明器具の制御方法に関する。
【背景技術】
【０００２】
バッテリとＬＥＤの非常用光源とを備えた非常用照明器具が実用化されている。このような非常用照明器具は、例えば停電時などの所定条件時にバッテリによって所定時間点灯する。商用電源から電力の供給を受けて定常光を発するＬＥＤの光源と、非常用照明器具とが組み合わされて一体に構成された照明器具が実用化されている。
【０００３】
ＬＥＤを光源に用いた非常用照明器具は、例えば国土交通大臣認定等の特別な申請又は許可を受けなければならない態様がある。特に、ＬＥＤ光源を非常用の光源として用いると共にこの非常用光源と一般の照明器具とを組み合わせる照明器具では、ＬＥＤ光源と一般の照明器具との組合せごとに前述の国土交通大臣認定等の申請、許可を受けることが必要な場合もある。しかし、一般の照明器具のＬＥＤ光源は、取り換え可能に構成されていることも多く、前述の申請に含まれない申請外のいわゆる非適合のＬＥＤ光源が照明器具に誤装着される可能性がある。
【先行技術文献】
【特許文献】
【０００４】
【特許文献１】特開２０１５−８８４３３号公報
【発明の概要】
【発明が解決しようとする課題】
【０００５】
本発明の目的は、非適合光源の装着を防ぐ照明器具、照明器具の制御方法を提供することである。
【課題を解決するための手段】
【０００６】
一実施形態に係る照明器具は、点灯回路と、非常用照明部と、防止部と、を具備する。前記点灯回路は、商用電源から供給された電力により出力端子に接続される常用光源を点灯させる。前記非常用照明部は、前記商用電源から供給された電力を蓄電する二次電池と、前記商用電源からの電力の遮断時に前記二次電池の電力により点灯する非常用光源と、を有する。前記防止部は、前記出力端子に対して前記非常用照明部との組合せに適合しない非適合光源が接続されることを防止する。
【発明の効果】
【０００７】
非適合光源の装着を防ぐ照明器具、照明器具の制御方法を提供することができる。
【図面の簡単な説明】
【０００８】
【図１】図１は、一実施形態に係る照明器具の外観の例について説明するための図である。
【図２】図２は、一実施形態に係る照明器具の外観の例について説明するための図である。
【図３】図３は、一実施形態に係る照明器具の構成例について説明するための図である。
【図４】図４は、一実施形態に係る照明器具の他の構成例について説明するための図である。
【発明を実施するための形態】
【０００９】
以下で説明する実施形態に係る照明器具１は、点灯回路１３と、非常用照明部としての非常用照明器具４と、防止部として機能する制御部３８または点灯回路１３の第２の端子１５と、を備える。点灯回路１３は、商用電源Ｖａｃから供給された電力により点灯回路１３の出力端子である第２の端子１５に接続される常用光源としてのＬＥＤ光源３を点灯させる。非常用照明器具４は、商用電源Ｖａｃから供給された電力を蓄電する二次電池３３と、商用電源Ｖａｃからの電力の遮断時に二次電池３３の電力により点灯する非常用光源としての非常用ＬＥＤ光源３５と、を有する。防止部としての制御部３８または第２の端子１５は、非常用照明器具４との組合せに適合しない非適合光源としてのＬＥＤ光源３が点灯回路１３に接続されることを防止する。
【００１０】
また、以下で説明する実施形態に係る照明器具１の非常用照明器具４は、点灯回路１３を制御して常用光源としてのＬＥＤ光源３の点灯を制御し、且つ防止部として機能する制御部３８をさらに有する。防止部としての制御部３８は、第２の端子１５に接続された常用光源としてのＬＥＤ光源３が非適合光源であるか否か判定する判定部として機能する。
【００１１】
また、以下で説明する実施形態に係る照明器具１の制御部３８は、第２の端子１５に接続された常用光源としてのＬＥＤ光源３が非適合光源であると判定された場合、ＬＥＤ光源３又は非常用ＬＥＤ光源３５の点灯を制御して外部に報知する。
【００１２】
また、以下で説明する実施形態に係る照明器具１の防止部としての第２の端子１５は、非常用照明器具４に適合しない非適合光源の端子と対応しない形状であり、且つ非常用照明器具４に適合する常用光源の端子と対応した形状で構成されている。
【００１３】
また、以下で説明する実施形態に係る照明器具１の制御方法は、商用電源Ｖａｃから供給された電力により出力端子としての第２の端子１５に接続される常用光源としてのＬＥＤ光源３を点灯させる点灯回路１３と、商用電源Ｖａｃから供給された電力を蓄電する二次電池３３と、商用電源Ｖａｃからの電力の遮断時に二次電池３３の電力により点灯する非常用光源としての非常用ＬＥＤ光源３５と、を有する非常用照明器具４と、を具備する照明器具１の制御方法であって、非常用照明器具４は、第２の端子１５に接続されたＬＥＤ光源３が非常用照明器具４との組合せに適合しない非適合光源であるか否か判定する。
【００１４】
以下、図面を参照しながら、一実施形態に係る照明器具、照明器具の制御方法について詳細に説明する。
【００１５】
図１及び図２は、一実施形態に係る照明器具１の例を示す外観図である。また、図３は、照明器具１の構成例を示す説明図である。照明器具１は、装着された光源を発光させる。照明器具１は、例えば天井に取り付けられる天井直付け型の照明器具である。照明器具１は、ベース部２、ＬＥＤ光源３、及び非常用照明器具４を備える。照明器具１は、リモートコントローラ５から受け取る信号に応じてＬＥＤ光源３の点灯状態を制御する。リモートコントローラ５は、操作部、表示部、及び通信部を備える装置である。リモートコントローラ５は、照明器具１の状態を示す情報を照明器具１から通信部により取得し、照明器具１の状態を表示部に表示することができる。また、リモートコントローラ５は、操作部に対する操作入力に応じて操作信号を生成し、生成した操作信号を通信部により照明器具１に対して送信することができる。
【００１６】
ベース部２は、図示されないボルトなどの締結部材によって天井に取り付けられる。ベース部２には、光源取付部１１、及び非常用照明器具取付部１２、及び点灯回路１３が設けられている。
【００１７】
光源取付部１１は、ＬＥＤ光源３をベース部２に装着可能に構成されている。光源取付部１１は、例えば係合部材及びバネなどを備え、係合部材により係合されたＬＥＤ光源３をバネによりベース部２に固定する。
【００１８】
非常用照明器具取付部１２は、非常用照明器具４をベース部２に装着可能に構成されている。例えば、非常用照明器具取付部１２は、例えば係合部材及びネジ穴などを備える。非常用照明器具取付部１２の係合部材は、非常用照明器具４の筐体に設けられた係合部材と係合される。さらに非常用照明器具４のネジ穴には、非常用照明器具４の筐体に設けられた孔を貫通したボルトが挿入される。これにより、非常用照明器具取付部１２は、非常用照明器具４をベース部２に固定する。
【００１９】
点灯回路１３は、光源取付部１１に取り付けられたＬＥＤ光源３を点灯させる回路である。点灯回路１３は、商用電源Ｖａｃ（系統電源）に接続される図示されない端子（第１の端子）１４と、ＬＥＤ光源３に接続される端子（第２の端子）１５と、非常用照明器具４に接続される端子（第３の端子）１６と、を備える。点灯回路１３は、第１の端子１４を介して商用電源Ｖａｃから供給された交流電力を直流電力に変換し、直流電力を平滑化し、第２の端子１５及び第３の端子１６から出力する。これにより、点灯回路１３は、ＬＥＤ光源３及び非常用照明器具４に電力を供給する。また、点灯回路１３は、第３の端子１６を介して非常用照明器具４から制御信号を受けとる。点灯回路１３は、非常用照明器具４から受け取った制御信号に基づいて、第２の端子１５を介してＬＥＤ光源３に印加する電圧（出力電圧）を調整する。
【００２０】
また、点灯回路１３は、第２の端子１５に接続された電気的負荷の電気的特性を検知する電気的特性検知部１７を備える。電気的特性検知部１７は、例えば、第２の端子１５に接続されたＬＥＤ光源３の電気的特性を検知する。電気的特性検知部１７は、例えば、第２の端子１５を流れる電流と、ＬＥＤ光源３に対して印加された電圧と、に基づいて、ＬＥＤ光源３の電気的負荷の抵抗値を電気的特性として検知する。点灯回路１３は、検知したＬＥＤ光源３の電気的特性を示す制御信号を第３の端子１６を介して非常用照明器具４に送信する。
【００２１】
ＬＥＤ光源３は、点灯回路１３から供給される電流に応じて光を放射する常用光源である。ＬＥＤ光源３は、基板と、基板を覆うカバーと、を備える。基板には、複数のＬＥＤ２１と、これらのＬＥＤ２１と電気的に接続された端子（第４の端子）２２と、が実装されている。例えば、複数のＬＥＤ２１は、ライン状に配列され、直列に接続されている。第４の端子２２は、点灯回路１３の第２の端子１５と接続可能に構成されている。第４の端子２２を介して点灯回路１３と基板に実装された複数のＬＥＤ２１とが電気的に接続されることによって、複数のＬＥＤ２１に点灯回路１３から出力電圧が印加される。この出力電圧によって直列接続された複数のＬＥＤ２１に電流が流れることによってＬＥＤ２１が発光する。
【００２２】
なお、出力電圧の値によって複数のＬＥＤ２１に流れる電流の値が変化する。各ＬＥＤ２１は、流れる電流の値によって輝度が変化する。即ち、点灯回路１３は、出力電圧を調整することによってＬＥＤ光源３の輝度を制御することができる。
【００２３】
なお、ＬＥＤ光源３は、発光波長の異なる複数のＬＥＤ２１を備え、発光波長の異なる複数のＬＥＤ２１によって複数の電源系統が構成されていてもよい。このように構成されている場合、各電源系統毎にＬＥＤ２１の輝度の制御が可能になる。これにより、発光波長の異なるＬＥＤ２１の輝度をそれぞれ制御することにより、ＬＥＤ光源３の発光色の調整が可能になる。
【００２４】
非常用照明器具（非常用照明部）４は、商用電源Ｖａｃから点灯回路１３に対する電力の供給が断たれた遮断時（商用電源Ｖａｃから点灯回路１３に対して電力が供給されない停電時）に自身の非常用ＬＥＤ光源を点灯させる。また、非常用照明器具４は、点灯回路１３を制御することによって、ＬＥＤ光源３の輝度を制御する。非常用照明器具４は、図１乃至図３に示されるように、第５の端子３１、電源回路３２、二次電池３３、停電検知部３４、非常用ＬＥＤ光源３５、受信部３６、記憶部３７、及び制御部３８記憶部３７を備える。
【００２５】
第５の端子３１は、点灯回路１３の第３の端子１６と接続可能に構成されている。第５の端子３１を介して点灯回路１３と電気的に接続されることによって、非常用照明器具４の各部に点灯回路１３から電力が供給される。この電力によって非常用照明器具４の各部は動作する。また、第５の端子３１と点灯回路１３の第３の端子１６とが接続されることによって、点灯回路１３と非常用照明器具４との間で信号（制御信号）の送受信が可能になる。第５の端子３１を介して点灯回路１３から入力された制御信号は、制御部３８に入力される。
【００２６】
電源回路３２は、第５の端子３１を介して点灯回路１３から供給された電力を非常用照明器具４の各部に供給する。例えば、電源回路３２は、フライバック式の回路、フォワード式の回路、昇圧チョッパ式の回路、またはレギュレータ電源方式等のいずれかによって構成される。電源回路３２は、停電が検知されていない通常時に点灯回路１３から供給された電力を二次電池３３に蓄電する。
【００２７】
また、電源回路３２は、停電時に二次電池３３に蓄電された直流電圧を昇圧して非常用ＬＥＤ光源３５に印加することにより、非常用ＬＥＤ光源３５を点灯させる。また、電源回路３２は、停電時に二次電池３３に蓄電された直流電圧を昇圧して制御部３８などを構成するＩＣに対して印加することにより、非常用照明器具４の各部を動作させる。
【００２８】
二次電池３３は、電源回路３２から供給された電力を蓄電し、蓄電した電力を負荷に対して放電する。
【００２９】
停電検知部３４は、商用電源Ｖａｃから電力が供給されない停電、及び停電状態から通常状態に戻る復電を検知する。例えば、停電検知部３４は、第５の端子３１を介して点灯回路１３から電力が供給されている場合通常状態であると検知し、点灯回路１３から電力が供給されていない場合停電状態であると検知する。停電検知部３４は、検知結果を制御部３８に入力する。
【００３０】
非常用ＬＥＤ光源３５は、電源回路３２から供給される電流に応じて光を放射する非常用光源である。非常用ＬＥＤ光源３５は、基板と、レンズと、を備える。基板は、ＬＥＤが実装された基板である。基板に実装されたＬＥＤは、単数であっても複数であってもよい。基板上の配線は、ＬＥＤと電源回路３２とを電気的に接続する。非常用ＬＥＤ光源３５のＬＥＤは、電源回路３２から印加される電圧により電流が流れることによって発光する。
【００３１】
受信部３６は、図１に示されるリモートコントローラ５から出力された信号を受けとる。受信部３６は、例えば、光を電気信号に変換するセンサを備える。また、リモートコントローラ５は、操作に応じて操作信号を生成し、生成した操作信号を赤外線として出力する。受信部３６は、上記のセンサによって赤外線を電気信号に変換することにより、リモートコントローラ５で生成された操作信号を取得する。
【００３２】
記憶部３７は、当該非常用照明器具４に適合するＬＥＤ光源３を示す情報を登録情報として記憶するメモリである。記憶部３７は、当該非常用照明器具４に適合するＬＥＤ光源３の電気的特性を示す情報を登録情報に登録する。より具体的には、記憶部３７は、当該非常用照明器具４に適合するＬＥＤ光源３の抵抗値を登録情報に登録する。例えば、照明器具１として非常用照明器具４と組み合わせられるＬＥＤ光源３が複数種類存在する場合、記憶部３７は、非常用照明器具４に適合する複数種類のＬＥＤ光源３の抵抗値を登録情報として予め登録する。記憶部３７は、例えば、半導体メモリ、ハードディスクドライブなどの記憶装置によって構成される。
【００３３】
制御部３８は、非常用照明器具４の各部の動作を制御する。制御部３８は、ＣＰＵ等のプロセッサ、プログラムメモリ、ワーキングメモリ及び各種インターフェースなどで構成される。制御部３８は、プロセッサがプログラムメモリに記憶したプログラムを実行することにより、各種の処理機能を実現する。
【００３４】
例えば、制御部３８は、リモートコントローラ５からの操作信号、停電検知部３４により入力された検知結果、及び点灯回路１３により入力された制御信号に基づき処理を行う。
【００３５】
制御部３８は、操作信号に基づいて、点灯回路１３を制御する。例えば、制御部３８は、操作信号に基づいて、点灯回路１３を制御する為の制御信号を生成する。制御部３８は、生成した制御信号を点灯回路１３に入力することによって点灯回路１３を制御する。制御部３８は、点灯回路１３を制御することによって、ＬＥＤ光源３の点灯状態を制御する。例えば、制御部３８は、操作信号に基づいて、ＬＥＤ光源３の輝度及び発光色などを決定し、決定した輝度及び発光色でＬＥＤ光源３が動作するように点灯回路１３を制御する。
【００３６】
また、例えば、制御部３８は、停電検知部３４により入力された検知結果に基づいて、電源回路３２を制御する。具体的には、制御部３８は、停電検知部３４により停電状態であることが検知された場合、二次電池３３に蓄電されている電力によって非常用ＬＥＤ光源３５を点灯させるように電源回路３２を制御する。また、制御部３８は、停電検知部３４により通常状態であることが検知された場合、点灯回路１３から供給される電力を二次電池３３に蓄電するように電源回路３２を制御する。
【００３７】
また、例えば、制御部３８は、点灯回路１３により入力された制御信号に基づいて、点灯回路１３を制御する。これにより、制御部３８は、非常用照明器具４に適合しないＬＥＤ光源３が接続されることを防止する防止部として機能する。
【００３８】
例えば、制御部３８は、点灯回路１３により入力された制御信号に基づいて、点灯回路１３の第２の端子１５に接続されたＬＥＤ光源３の電気的特性を示す制御信号を認識する。具体的には、点灯回路１３は、第２の端子１５に接続されたＬＥＤ光源３の抵抗値の検知結果を制御信号として第３の端子１６を介して非常用照明器具４に入力する。制御部３８は、受信した制御信号を解析することにより、点灯回路１３の第２の端子１５に接続されたＬＥＤ光源３の抵抗値を認識する。
【００３９】
制御部３８は、認識結果に基づいて、第２の端子１５に接続されたＬＥＤ光源３の電気的特性に対応する情報が記憶部３７に登録情報として登録されているか否か判断する。例えば、制御部３８は、認識した抵抗値と一致、または差が所定値未満である抵抗値が記憶部３７に登録情報として登録されているか否か判断する。具体的には、制御部３８は、認識した抵抗値と、登録情報として登録されている各抵抗値と、の差をそれぞれ算出することによって、認識した抵抗値と一致または差が所定値未満である抵抗値が記憶部３７に登録情報として登録されているか否か判断する。
【００４０】
制御部３８は、認識した抵抗値と一致、または差が所定値未満である抵抗値が記憶部３７に登録情報として登録されている場合、第２の端子１５に接続されたＬＥＤ光源３の電気的特性に対応する情報が記憶部３７に登録情報として登録されていると判断する。制御部３８は、第２の端子１５に接続されたＬＥＤ光源３の電気的特性に対応する情報が記憶部３７に登録情報として登録されていないと判断した場合、第２の端子１５に接続されたＬＥＤ光源３が非常用照明器具４との組合せに適合しない非適合光源であると判定する。また、制御部３８は、認識した抵抗値と一致、または差が所定値未満である抵抗値が記憶部３７に登録情報として登録されている場合、第２の端子１５に接続されたＬＥＤ光源３の電気的特性に対応する情報が記憶部３７に登録情報として登録されていると判断する。制御部３８は、第２の端子１５に接続されたＬＥＤ光源３の電気的特性に対応する情報が記憶部３７に登録情報として登録されていると判断した場合、第２の端子１５に接続されたＬＥＤ光源３が適合である（適合光源である）と判定する。これにより、制御部３８は、第２の端子１５に接続されたＬＥＤ光源３が当該非常用照明器具４に適合するか否か判定する判定部として機能する。
【００４１】
制御部３８は、例えば、第２の端子１５にＬＥＤ光源３の第４の端子２２が接続された場合に上記のようにＬＥＤ光源３が適合光源であるか非適合光源であるかの判定を行う。なお、この判定は、如何なるタイミングで行われてもよい。例えば、制御部３８は、ＬＥＤ光源３を点灯させる操作信号が入力されたタイミング、またはＬＥＤ光源３を点灯させる操作信号が入力されてから所定時間経過したタイミングでＬＥＤ光源３が適合光源であるか非適合光源であるかの判定を行う構成であってもよい。
【００４２】
制御部３８は、第２の端子１５に接続されたＬＥＤ光源３が非適合光源であると判定した場合、照明器具１に取り付けられたＬＥＤ光源３が非適合光源であることをユーザに報知する為の報知動作を実行するように点灯回路１３を制御する。また、制御部３８は、第２の端子１５に接続されたＬＥＤ光源３が適合光源であると判定した場合、通常の点灯動作を実行するように点灯回路１３を制御する。
【００４３】
点灯回路１３が実行する報知動作は、種々のパターンがあってもよい。例えば、点灯回路１３が実行する報知動作は、ＬＥＤ光源３を点灯させない動作である。また、例えば、点灯回路１３が実行する報知動作は、ＬＥＤ光源３を減光させて点灯させる動作である。また、例えば、点灯回路１３が実行する報知動作は、ＬＥＤ光源３を点滅点灯させる動作である。制御部３８は、上記のように点灯回路１３を制御することにより、第２の端子１５に接続されたＬＥＤ光源３が当該非常用照明器具４に適合しないと判定された場合に当該非常用照明器具４に適合しないＬＥＤ光源３が接続されたことを報知する報知部として機能する。
【００４４】
また、非常用照明器具４は、通信部３９をさらに備えていてもよい。通信部３９は、リモートコントローラ５と無線通信を行う。例えば、通信部３９は、無線ＬＡＮまたはＢｌｕｅｔｏｏｔｈ（登録商標）により無線通信する機能を有する。このように通信部３９が構成されていることにより、リモートコントローラ５が無線ＬＡＮまたはＢｌｕｅｔｏｏｔｈなどによって操作信号を出力可能に構成されている場合に通信部３９は、リモートコントローラ５から無線通信により送信された操作信号を受信することができる。通信部３９は、受信した操作信号を制御部３８に入力する。
【００４５】
また、制御部３８は、リモートコントローラ５に報知動作を実行させる為の情報を通信部３９によりリモートコントローラ５に送信する構成であってもよい。リモートコントローラ５は、報知動作を実行させる為の情報を受信した場合、照明器具１に取り付けられたＬＥＤ光源３が非適合光源であることを表示部に表示することを報知動作として行う。
【００４６】
上記したように構成された照明器具１の非常用照明器具４は、照明器具１の点灯回路１３に接続されたＬＥＤ光源３の電気的特性を認識し、認識した電気的特性に基づいて上記のＬＥＤ光源３と当該非常用照明器具４との組合せが非適合である非適合光源であるか否かを判定する。非常用照明器具４は、ＬＥＤ光源３が非適合光源であると判定した場合、照明器具１に取り付けられたＬＥＤ光源３が非適合光源であることをユーザに報知する為の報知動作をＬＥＤ光源３に実行させるように点灯回路１３を制御する。これにより、照明器具１は、ユーザが意図せず照明器具１に非常用照明器具４との組合せが非適合であるＬＥＤ光源３が照明器具１に接続されることを防止することができる。
【００４７】
また、照明器具１の非常用照明器具４は、適合光源であるＬＥＤ光源３の抵抗値を予め登録情報として記憶した記憶部３７を備え、照明器具１の点灯回路１３に接続されたＬＥＤ光源３の抵抗値を認識する。非常用照明器具４は、認識した抵抗値に対応する登録情報が存在する場合にＬＥＤ光源３が適合光源であると判定し、認識した抵抗値に対応する登録情報が存在しない場合にＬＥＤ光源３が非適合光源であると判定する。このような構成によると、非常用照明器具４は、照明器具１に接続されたＬＥＤ光源３が未知の機器である場合であっても、ＬＥＤ光源３が適合光源であるか非適合光源であるかを判定することができる。
【００４８】
なお、上記の実施形態では、点灯回路１３の電気的特性検知部１７がＬＥＤ光源３の電気的特性としての抵抗値を検知し、検知した抵抗値を制御情報として点灯回路１３が非常用照明器具４に入力する構成であると説明したが、この構成に限定されない。ＬＥＤ光源３が非常用照明器具４と接続される端子を備える場合、非常用照明器具４は、この端子を介してＬＥＤ光源３の電気的特性を検知する構成であってもよい。非常用照明器具４この場合、非常用照明器具４は、電気的特性検知部１７と同様の構成である電気的特性停電検知部３４を備える。電気的特性検知部は、端子を介してＬＥＤ光源３を流れる電流値を検知する。電気的特性停電検知部３４は、点灯回路１３からＬＥＤ光源３に対して印加されている出力電圧を点灯回路１３との通信によって認識する。停電検知部３４電気的特性停電検知部３４は、電流値と、出力電圧と、に基づいて、ＬＥＤ光源３の電気的負荷の抵抗値を電気的特性として検知する。電気的特性停電検知部３４は、電気的特性として検知したＬＥＤ光源３の抵抗値を制御部３８に入力する。
【００４９】
このような構成によると、点灯回路１３がＬＥＤ光源３の抵抗値を検知する機能を備えていない場合であっても、照明器具１は、照明器具１に非常用照明器具４との組合せが非適合であるＬＥＤ光源３が照明器具１に接続されることを防止することができる。
【００５０】
また、上記した実施形態では、点灯回路１３の第２の端子１５にＬＥＤ光源３の第４の端子２２が接続され、点灯回路１３の第３の端子１６に非常用照明器具４の第５の端子３１が接続される構成であると説明したが、この構成に限定されない。点灯回路１３が非常用照明器具４と接続される端子を備え、非常用照明器具４がＬＥＤ光源３と接続される端子を備える構成であってもよい。この場合、点灯回路１３とＬＥＤ光源３との間に中継として非常用照明器具４が接続される。このような構成によると、非常用照明器具４は、ＬＥＤ光源３と接続される端子を流れる電流の値を測定することにより、ＬＥＤ光源３の抵抗値を検知することができる。これにより、非常用照明器具４は、ＬＥＤ光源３が自身に適合した光源であるか否か判定することができる。この結果、点灯回路１３がＬＥＤ光源３の抵抗値を検知する機能を備えていない場合であっても、照明器具１は、照明器具１に非常用照明器具４との組合せが非適合であるＬＥＤ光源３が照明器具１に接続されることを防止することができる。
【００５１】
また、上記した実施形態のように、点灯回路１３の電気的特性検知部１７がＬＥＤ光源３の電気的特性を検知するのではなくＬＥＤ光源３から非常用照明器具４がＬＥＤ光源３に関する情報（例えば型番など）を取得する構成であってもよい。
【００５２】
図４は、ＬＥＤ光源３Ａと非常用照明器具４Ａとが通信により接続される場合の照明器具１Ａの例を示す。なお、図３と同様の構成には同じ参照符号を付し、その詳細な説明を省略する。
【００５３】
図４に示されるように、ＬＥＤ光源３Ａは、通信部２３Ａを備える。通信部２３Ａは、非常用照明器具４Ａと通信する為の通信手段であり、ＬＥＤ光源３Ａを識別する為の識別情報を非常用照明器具４Ａに対して送信する。
【００５４】
非常用照明器具４Ａの通信部２３Ａは、ＬＥＤ光源３Ａの通信部２３Ａと通信することにより、ＬＥＤ光源３Ａの識別情報を取得する。
【００５５】
非常用照明器具４Ａの記憶部３７Ａは、当該非常用照明器具４Ａに適合するＬＥＤ光源の識別情報の一覧を登録情報として予め記憶する。
【００５６】
非常用照明器具４Ａの制御部３８Ａは、ＬＥＤ光源３Ａから取得した識別情報と一致する識別情報が記憶部３７Ａの登録情報に登録されているか否か判断する。制御部３８Ａは、ＬＥＤ光源３Ａから取得した識別情報と一致する識別情報が記憶部３７Ａの登録情報に登録されていると判断した場合、ＬＥＤ光源３Ａが適合光源であると判定する。また、制御部３８Ａは、ＬＥＤ光源３Ａから取得した識別情報と一致する識別情報が記憶部３７Ａの登録情報に登録されていないと判断した場合、ＬＥＤ光源３Ａが非適合光源であると判定する。
【００５７】
このような構成によると、点灯回路１３がＬＥＤ光源３Ａの抵抗値を検知する機能を備えていない場合であっても、照明器具１Ａは、照明器具１Ａに非常用照明器具４Ａとの組合せが非適合であるＬＥＤ光源３Ａが照明器具１Ａに接続されることを防止することができる。
【００５８】
また、上記の実施形態では、非常用照明器具４の記憶部３７は、当該非常用照明器具４に適合するＬＥＤ光源３の電気的特性を示す情報として抵抗値を登録情報として記憶する構成であると説明したがこの構成に限定されない。非常用照明器具４の記憶部３７は、抵抗値の上限と下限とを登録情報として記憶する構成であってもよい。この場合、非常用照明器具４の制御部３８は、照明器具１に接続されたＬＥＤ光源３の抵抗値が記憶部３７により記憶されている抵抗値の下限以上上限未満である場合にＬＥＤ光源３が適合光源であると判定し、照明器具１に接続されたＬＥＤ光源３の抵抗値が記憶部３７により記憶されている抵抗値の下限未満または上限以上である場合にＬＥＤ光源３が非適合光源であると判定する。
【００５９】
また、上記の実施形態では、非常用照明器具４の制御部３８が、ＬＥＤ光源３が適合光源であるか非適合光源であるかの判定を行う構成であると説明したがこの構成に限定されない。点灯回路１３がプロセッサを備える制御部と、非常用照明器具４に適合するＬＥＤ光源３毎の電気的特性を示す情報を記憶する記憶部と、を備える場合、点灯回路１３の制御部が電気的特性検知部１７により検知したＬＥＤ光源３の電気的特性と、記憶部に記憶されている電気的特性と、に基づいてＬＥＤ光源３が適合光源であるか非適合光源であるかの判定を行う構成であってもよい。
【００６０】
また、上記の実施形態では、非常用照明器具４は、照明器具１に接続されたＬＥＤ光源３が非適合光源であると判定した場合にＬＥＤ光源３が報知動作を行うように点灯回路１３を制御する構成であると説明したがこの構成に限定されない。非常用照明器具４は、照明器具１に接続されたＬＥＤ光源３が非適合光源であると判定した場合に非常用ＬＥＤ光源３５が報知動作を行うように電源回路３２を制御する構成であってもよい。
【００６１】
また、上記の実施形態では、照明器具１は、接続されたＬＥＤ光源３が適合光源であるか非適合光源であるかを電気的特性に基づいて判定する構成として説明したがこの構成に限定されない。照明器具１は、機械的特性に基づいて非常用照明器具４に適合しないＬＥＤ光源３の接続を防止する構成であってもよい。
【００６２】
例えば、点灯回路の第２の端子１５は、非常用照明器具４に適合したＬＥＤ光源３の端子と対応し、且つ非常用照明器具４に適合しないＬＥＤ光源３の端子と対応しない形状で形成されている。具体的には、非常用照明器具４に適合したＬＥＤ光源３の端子のピンの数と、非常用照明器具４に適合しないＬＥＤ光源３の端子のピンの数とが異なる場合に、点灯回路１３の第２の端子１５は、非常用照明器具４に適合したＬＥＤ光源３の端子とピンの数が一致するように構成されている。このような構成によると、非常用照明器具４に適合しないＬＥＤ光源３の端子と点灯回路の第２の端子１５とで形状が異なる為、物理的に接続することができない。これにより、照明器具１の点灯回路の第２の端子１５は、点灯回路の第２の端子１５に非常用照明器具４に適合しないＬＥＤ光源３が接続されることを防止する防止部として機能する。
【００６３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００６４】
１…照明器具、１Ａ…照明器具、２…ベース部、３…ＬＥＤ光源、３Ａ…ＬＥＤ光源、４…非常用照明器具、４Ａ…非常用照明器具、５…リモートコントローラ、１１…光源取付部、１２…非常用照明器具取付部、１３…点灯回路、１４…第１の端子、１５…第２の端子、１６…第３の端子、１７…電気的特性検知部、２１…ＬＥＤ、２２…第４の端子、２３Ａ…通信部、３１…第５の端子、３２…電源回路、３３…二次電池、３４…停電検知部、３５…ＬＥＤ光源、３６…受信部、３７…記憶部、３７Ａ…記憶部、３８…制御部、３８Ａ…制御部、３９…通信部、３９Ａ…通信部。
【図１】
2017045617.tif 000003
【図２】
2017045617.tif 000004
【図３】
2017045617.tif 000005
【図４】
2017045617.tif 000006